(57)【特許請求の範囲】
【請求項１】
非導電性材料からなる操作部材と、
前記操作部材の回転操作とともに回転する回転部材と、
前記操作部材へのタッチ操作により静電容量が変化する第１の検出電極と、前記回転部材の回転によって電位が変化する複数の第２の検出電極と、を備えた基板と、
前記第１の検出電極の静電容量と、前記複数の第２の検出電極からの出力に基づいて、前記操作部材の回転操作と、を検出する検出部と、を有し、
前記複数の第２の検出電極は、前記基板の前記第１の検出電極が形成されている面と異なる面に形成され、
前記操作部材には、前記第１の検出電極に向けて突出形成される突出部が形成され、
前記突出部の先端は、前記第１の検出電極に対向していることを特徴とする電子機器。
【請求項２】
前記第１の検出電極は、前記基板に円周方向に形成されることを特徴とする請求項１に記載の電子機器。
【請求項３】
前記突出部は、リブ形状であることを特徴とする請求項１または２に記載の電子機器。
【請求項４】
前記突出部は、前記第１の検出電極に沿って連続的に形成されることを特徴とする請求項１から３のいずれか１項に記載の電子機器。
【請求項５】
前記突出部は、前記第１の検出電極に沿って等間隔に複数形成されることを特徴とする請求項１から３のいずれか１項に記載の電子機器。
【請求項６】
前記突出部は、非導電性材料により形成されることを特徴とする請求項１から５のいずれか１項に記載の電子機器。
【請求項７】
前記操作部材の裏面には、肉抜き部が形成され、
前記突出部は、前記肉抜き部に形成されていることを特徴とする請求項１から６のいずれか１項に記載の電子機器。
【請求項８】
前記基板は、前記操作部材と前記回転部材との間に配置されることを特徴とする請求項１から７のいずれか１項に記載の電子機器。
【請求項９】
前記第１の検出電極は、前記操作部材に対向し、
前記複数の第２の検出電極は、前記回転部材に対向していることを特徴とする請求項８に記載の電子機器。
【請求項１０】
前記回転部材は、前記複数の第２の検出電極に対向し、前記回転部材の外周から突出する複数の被検出部と、を備えていることを特徴とする請求項１から９のいずれか１項に記載の電子機器。
【請求項１１】
前記検出部は、前記被検出部と前記複数の第２の検出電極を用いて、前記操作部材の回転操作を検出することを特徴とする請求項１０に記載の電子機器。
【発明の詳細な説明】
【技術分野】
【０００１】
本発明は、例えばデジタルカメラ等の電子機器に関し、特に電子ダイヤル等の操作部材を備える電子機器に関する。
【背景技術】
【０００２】
デジタルカメラ等の電子機器では、特許文献１に記載されているようにシャッター速度、絞り値、ＩＳＯ感度などの設定値を変更する操作部材として電子ダイヤルを備えるものがある。電子ダイヤルは、回転操作が可能なダイヤル部と、ダイヤル部と一体に回転するダイヤル基板とを有する。ダイヤル基板には、接片が接触しており、ダイヤル部の回転操作によりダイヤル基板に形成された電極に接片が接触することで、ダイヤル部の回転操作を検出する。また、電子ダイヤルには、クリック機構が設けられており、ダイヤル部を回転操作する際にユーザにクリック感を付与する。
【０００３】
また、特許文献２には、指紋検出型入力デバイスを備え、ユーザが指先で指紋検出型デバイス上を摺動することで、電子機器の操作を行うことが開示されている。
【先行技術文献】
【特許文献】
【０００４】
【特許文献１】特開２００６−１１９５１９号公報
【特許文献２】特開２００６−１５７１５４号公報
【発明の概要】
【発明が解決しようとする課題】
【０００５】
特許文献１では、電子ダイヤルがクリック機構を備えるため、同時に音声を記録する動画撮影中にダイヤル部を回転操作して絞り値やシャッター速度（蓄積時間）、ＩＳＯ感度などの設定値を変更すると、クリック音が録音されてしまう。
【０００６】
特許文献２では、指紋検出型入力デバイス上をユーザが指先で摺動させるため、同時に音声を記録する動画撮影中に絞り値やシャッター速度（蓄積時間）、ＩＳＯ感度などの設定値を変更すると、摺動音が録音されてしまう。
【０００７】
そこで、本発明は、クリック音や摺動音を発生させずに、例えば絞り値やシャッター速度（蓄積時間）、ＩＳＯ感度などの設定値を変更する操作が可能な電子機器を提供することを目的とする。
【課題を解決するための手段】
【０００８】
上記目的を達成するための本発明の一側面としての電子機器は、非導電性材料からなる操作部材と、前記操作部材の回転操作とともに回転する回転部材と、前記操作部材へのタッチ操作により静電容量が変化する第１の検出電極と、前記回転部材の回転によって電位が変化する複数の第２の検出電極と、を備えた基板と、前記第１の検出電極の静電容量と、前記複数の第２の検出電極からの出力に基づいて、前記操作部材の回転操作と、を検出する検出部と、を有し、前記複数の第２の検出電極は、前記第１の検出電極が形成されている面と異なる面に形成され、前記操作部材には、前記第１の検出電極に向けて突出形成される突出部が形成され、前記突出部の先端は、前記第１の検出電極に対向していることを特徴とする。
【発明の効果】
【０００９】
本発明の電子機器によれば、クリック音や摺動音が発生させずに、例えば絞り値やシャッター速度（蓄積時間）、ＩＳＯ感度などの設定値を変更することができる。
【図面の簡単な説明】
【００１０】
【図１】（ａ）は本発明の電子機器の実施形態の一例であるデジタルカメラの光軸方向に沿う概略断面図、（ｂ）は（ａ）に示すデジタルカメラの背面図である。
【図２】デジタルカメラの制御系を説明するためのブロック図である。
【図３】電子ダイヤルの断面図である。
【図４】電子ダイヤルの分解斜視図である。
【図５】（ａ）はプリント基板を第１の検出電極側から見た図、（ｂ）はプリント基板と操作部との関係を示す図、（ｃ）はプリント基板を第２の検出電極側から見た図、（ｄ）はプリント基板と回転板との関係を示す図である。
【図６】（ａ）はプリント基板と操作部との関係を示す中央断面図、（ｂ）は操作部のプリント基板側の図、（ｃ）は操作部の肉抜き部の拡大図である。
【図７】（ａ）は操作部のプリント基板側の別の方式の肉抜き部を示す図、（ｂ）は操作部に別の部品を固定する方式を説明するための図である。
【図８】（ａ）は決定ボタンと保持部材との関係を示す分解斜視図、（ｂ）は決定ボタンの構成図、（ｃ）は保持部材と決定ボタンとの関係を示す図である。
【図９】（ａ）は決定ボタンが押される前の状態を示す決定ボタンの軸方向に沿う断面図、（ｂ）は決定ボタンが押された時の決定ボタンの軸方向に沿う図である。
【発明を実施するための形態】
【００１１】
以下に、本発明の好ましい実施の形態を、添付の図面に基づいて詳細に説明する。
【００１２】
図１（ａ）は、本発明の電子機器の実施形態の一例であるデジタルカメラの光軸方向に沿う概略断面図である。
【００１３】
１００はデジタルカメラ本体、１０１は交換式の撮影レンズ、１０２は絞り装置である。１０３は、撮影レンズ１０１及び絞り１０２を通過した被写体光を上方に反射するミラーである。１０４はペンタプリズム、１０５はペンタプリズム１０４を介して被写体光が導かれる光学ファインダである。１０６はシャッター装置、１０７はミラー１０３が光軸から退避して、撮影レンズ１０１及び絞り装置１０２を通過した被写体光がシャッター装置１０６を介して結像する撮像素子である。１０８は撮影時の手ぶれ量を検知するジャイロセンサである。
【００１４】
図１（ｂ）は、図１（ａ）に示すデジタルカメラ本体１００の背面図である。
【００１５】
１０９は、デジタルカメラ本体１００の電源のＯＮ／ＯＦＦを指示する電源スイッチである。１１０は、シャッター速度、絞り値、ＩＳＯ感度などの設定をしたり、表示部に表示されるメニュー画面で項目を選択したりする電子ダイヤルである。１１１は、ライブビュー撮影の開始を指示するライブビューボタンである。１１２は、ライブビュー撮影の状態で動画の撮影開始を指示する動画開始ボタンである。１１３は、ＡＦ（オートフォーカス）動作、ＡＥ（自動露出）動作、及びＡＷＢ（オートホワイトバランス）動作等の動作開始を指示する動作開始指示ボタンである。１１４は、半押し操作で、ＡＦ動作、ＡＥ動作、及びＡＷＢ動作等の動作開始を指示し、全押し操作で撮影動作の動作開始を指示するレリーズボタンである。１１５は、電子ダイヤル１１０により各種選択を行った際に、選択を決定するための決定ボタン（ボタン部材）である。１１６は、表示部である。
【００１６】
図２は、デジタルカメラ本体１００の制御系を説明するためのブロック図である。
【００１７】
２００は、ＣＰＵ、ＲＯＭ、及びＲＡＭ等を備え、デジタルカメラ本体１００全体を制御するシステム制御回路である。２０１は画像処理回路、２０２はメモリ制御回路である。２０３は、絞り装置１０２及びシャッター装置１０６を制御する露光制御手段である。２０４は、撮影レンズ１０１のフォーカスを制御する焦点制御手段である。２０５は、撮影した静止画像や動画像のデータを格納するメモリである。２０６は、電子ダイヤル１１０への操作を検出する検出回路である。
【００１８】
画像処理回路２０１は、撮像素子１０７から出力された画像データ、メモリ制御回路２０２から出力された画像データに対して所定の画素補間処理や色変換処理を行う。画像処理回路２０１において、所定の演算処理を行い、得られた演算結果に基づいてシステム制御回路２００がＡＦ動作、ＡＥ動作、ＡＷＢ動作を行う。
【００１９】
メモリ制御回路２０２は、画像処理回路２０１、メモリ２０５を制御する。撮像素子１０７から出力された画像データは、画像処理回路２０１及びメモリ制御回路２０２を介して、あるいは直接、メモリ制御回路２０２を介してメモリ２０５に書き込まれる。
【００２０】
１１７はインターフェース、１１８はコネクタ、１２０は記録部である。
【００２１】
インターフェース１１７は、メモリカードやハードディスク等の記録部１２０とデジタルカメラ本体１００とをコネクタ１１８を介して接続する。
【００２２】
次に、図３〜図５を参照して、本発明の操作部材の一例に相当する電子ダイヤル１１０について説明する。
【００２３】
図３は、電子ダイヤル１１０の断面図である。図４は、電子ダイヤルの分解斜視図である。
【００２４】
３００は外装カバー、３０１は回転操作可能な操作部材、３０２は支持部、３０３はプリント基板、３０４は回転板（回転部材）である。３０１ａは操作部３０１に形成された凸部、３０３ａはプリント基板３０３に形成された穴部、３０４ａは回転板３０４に形成された穴部である。３０５は、ボールとバネからなるクリック発生部である。３０６は、回転板３０４の外周部に形成された被検出部である。５０１は決定ボタン固定部材、５０２はねじ、５０３は弾性スイッチ、５１１は保持部材（固定部）、５２１は保持部材５１１上に固定されたフレキシブル基板である。
【００２５】
操作部３０１は支持部３０２に回転操作可能に支持され、支持部３０２は外装カバー３００に固定される。また、プリント基板３０３は、支持部３０２の裏面側（図３及び図４の下面側）に固定されている。
【００２６】
操作部３０１には、クリック発生部３０５を構成するボールとバネが収納される。クリック発生部３０５を構成するボールは、クリック発生部３０５を構成するバネによって支持部３０２の内周部に周方向に沿って波状に形成されたクリック板に向けて付勢される。これによって、操作部３０１を回転操作する際にユーザにクリック感を付与する。また、操作部３０１の回転中心には、決定ボタン１１５が押圧操作可能に配置される。
【００２７】
図５の（ａ）はプリント基板を第１の検出電極群の側から見た図、図５（ｂ）はプリント基板と操作部との関係を示す図、図５（ｃ）はプリント基板を第２の検出電極群の側から見た図、図５（ｄ）はプリント基板と回転板との関係を示す図である。尚、図５（ｂ）において、説明をし易くする為に、プリント基板３０３を破線で図示している。
【００２８】
４００はプリント基板３０３の表面側（図３及び図４の上面側）に形成された第１の検出電極群、４０１はプリント基板３０３の裏面側に形成された第２の検出電極群である。４０２は、第２の検出電極群４０１と同一面上にプリント基板３０３の内周部に形成された接地電極である。
【００２９】
第１の検出電極群４００及び第２の検出電極群４０１は、共に静電容量式であり、第１の検出電極群４００及び第２の検出電極群４０１の静電容量の変化は、検出回路２０６により検出される。
【００３０】
図５（ａ）に示すように、第１の検出電極群４００には、円周方向に並んで配置された４つの検出電極Ａ１〜Ａ４で構成され、４つの検出電極Ａ１〜Ａ４は円周方向に略等間隔となるように形成されている。ここで、本実施形態では、円周方向に検出電極Ａ１〜Ａ４を配置しているが、検出電極Ａ１〜Ａ４の配置は、円周方向に配置されていなくてもよい。
【００３１】
一方、図５（ｃ）に示すように、第２の検出電極群４０１には、円周方向に並んで配置された４つの検出電極Ｂ１〜Ｂ４が全周で５組、合計２０の電極パターンが円周方向に略等間隔で設けられている。第２の検出電極群４０１の検出電極の数は、操作部３０１を１周分回転させた際のクリック数（２０）と同一となるように設定されている。操作部３０１を回転操作した際のクリック感の発生に連動して回転板３０４の回転を検出する。ここで、本実施形態では、円周方向に検出電極Ｂ１〜Ｂ４を配置しているが、検出電極Ｂ１〜Ｂ４の配置は、円周方向に配置されていなくてもよい。
【００３２】
回転板３０４は、プリント基板３０３の裏面側で接地電極４０２と対向するように、操作部３０１に固定されている。被検出部３０６は、第２の検出電極群４０１を構成する１つの検出電極と対向するように回転板３０４の円周方向に略等間隔で形成されている。また、被検出部３０６の形状は、第２の検出電極群４０１を構成する１つの検出電極と略同一とされている。被検出部３０６は、第２の検出電極群４０１を構成する４つの検出電極Ｂ１〜Ｂ４の組数と同一の数（本実施形態では、５つ）だけ配置される。図５（ｄ）に図示するように、例えば、被検出部３０６の１つが検出電極Ｂ４に軸方向に対向するとき、残りの被検出部３０６もすべて検出電極Ｂ４に軸方向に対向する。図５（ｄ）に図示する状態から、回転板３０４を右に回転させると、すべての被検出部３０６が検出電極Ｂ１に軸方向に対向する。
【００３３】
ここで、本実施形態では、第１の検出電極群４００は、人体（ユーザ）による操作部３０１の表面のタッチ操作を検出するために用いられる。すなわち、操作部３０１の表面に人体が接近すると、検出電極Ａ１〜Ａ４のいずれかの静電容量が変化し、この変化を検出回路２０６が検出する。そして、検出回路２０６の検出結果に基づき、システム制御回路２００が操作部３０１の表面の上下左右のいずれかがタッチ操作されたと判断する。
【００３４】
一方、第２の検出電極群４０１は、回転板３０４の被検出部３０６の回転動作を検出するために用いられる。回転板３０４は、接地電極４０２と対向して静電結合している。そのため、第２の検出電極群４０１の検出電極Ｂ１〜Ｂ４のうち、回転板３０４の被検出部３０６と軸方向に対向する検出電極は、回転板３０４を介して接地電極４０２と静電結合することになる。
【００３５】
例えば、図５（ｄ）を参照して、被検出部３０６が第２の検出電極群４０１の検出電極Ｂ４に対向していた状態から検出電極Ｂ１に対向する状態に回転板３０４が回転すると、検出回路２０６は、検出電極Ｂ４及びＢ１の静電容量の変化を検出する。そして、検出回路２０６の検出結果に基づき、システム制御回路２００は、図５（ｄ）において、回転板３０４が時計回りに回転したことを検出する。したがって、システム制御回路２００は、操作部３０１が図５（ｂ）において、反時計回りに回転操作されたと判断する。
【００３６】
ここで、操作部３０１及び支持部３０２の材質が導電性材料の場合、人体が近づくと、操作部３０１及び支持部３０２の全体の表面が等電位となり、第１の検出電極群４００の全ての検出電極Ａ１〜Ａ４が等電位であると検出回路２０６で検出される。このため、システム制御回路２００は操作部３０１がタッチ操作されているか否かの判断しかできず、操作部３０１のどの位置にタッチ操作がされているのか判断できない。
【００３７】
そこで、本実施形態では、操作部３０１の上下左右いずれかの位置のタッチ操作を検出して、従来の電子ダイヤルの回転操作と同一の機能を確保するため、操作部３０１及び支持部３０２は、セラミックスや樹脂材料等の非導電性材料としている。
【００３８】
また、本実施形態では、接地電極４０２をプリント基板３０３の円周方向全周に形成することで、回転板３０４の回転位相に関係なく、回転板３０４の全ての面が接地電極４０２に対して軸方向に対向するようにして、検出感度を高めている。
【００３９】
次に、図６を参照して、本実施形態において、表面のタッチ操作の検出感度を高めている方法について説明する。前述したように、操作部３０１はセラミックスや樹脂材料等の非導電性材料を使用しているため、一般的に均肉化のために肉抜き部を構成する必要がある。３０１ｂは操作部３０１の裏面に形成される肉抜き部、３０１ｃは肉抜き部３０１ｂに形成されたリブ形状（突出部）である。
【００４０】
前述のように、操作部３０１の表面（図６（ａ）の上側）に人体が接近すると、検出電極Ａ１〜Ａ４のいずれかの静電容量が変化し、この変化を検出回路２０６が検出する。そして、検出回路２０６の検出結果に基づき、システム制御回路２００が操作部３０１の上下左右いずれかの表面がタッチ操作されたと判断する。なお、図６（ａ）は説明を容易にする為に、プリント基板３０３と操作部３０１のみを図示している。
【００４１】
図６（ｃ）の斜線で図示した空間が肉抜き部３０１ｂであるが、第１の検出電極群４００と操作部３０１の表面との間に、空気間隔が存在すると、第１の検出電極群４００が検出する静電容量の変化が減少してしまう。本実施形態では、プリント基板３０３の表面側に形成された第１の検出電極群４００と略対向する操作部３０１の裏面に構成された肉抜き部３０１ｂにリブ形状３０１ｃを突出形成することで空気間隔を減少させている。したがって、操作部３０１の表面（図６（ａ）の上側）に人体が接近すると、検出電極Ａ１〜Ａ４のいずれかの表面の静電容量がより安定して変化し、この変化を検出回路２０６が検出することが可能になる。
【００４２】
次に、図７を参照して、別のリブ形状や別の非導電性材料を用いることで、検出回路２０６が検出する静電容量の変化が減少してしまうことを防止する例について説明する。
【００４３】
図７（ａ）は、図６（ｂ）と同様の操作部３０１のプリント基板３０３側の図であり、別のリブ形状の実施例である。図６（ｂ）では、リブ形状３０１ｃは、第１の検出電極群４００の検出電極Ａ１〜Ａ４が並ぶ円周方向に連続的に形成されていたが、図７（ａ）に示す様に、肉抜き部３０１ｂにリブ形状３０１ｄを放射状に複数形成してもよい。このとき、リブ形状３０１ｄは円周方向に略等間隔となるように形成する。このとき、操作部３０１は回転操作により回転するので、リブ形状３０１ｄの数は、操作部３０１の１周分のクリック数（２０）の整数倍が望ましい。
【００４４】
図７（ｂ）は、図６（ｃ）と同様の操作部３０１の肉抜き部３０１ｂの拡大図である。３０１ｅは、肉抜き部３０１ｂと略同一形状の非導電性材料部品であり、肉抜き部３０１ａに固定されている。そのため、操作部３０１の表面（図６（ａ）の上側）に人体が接近すると、検出電極Ａ１〜Ａ４のいずれかの表面の静電容量がより安定して変化し、この変化を検出回路２０６が検出することが可能になる。なお、非導電性材料部品３０１ｅは、説明を容易にするため、塗り潰した状態で図示している。
【００４５】
次に、図３、図８及び図９を参照して、決定ボタン１１５の保持部材５１１による回転規制について説明する。
【００４６】
図３に示すように、決定ボタン１１５は操作部３０１の中心部分に配置されている。さらに決定ボタン１１５は、操作部３０１を貫通した状態で、紙面下方向から決定ボタン固定部材５０１がねじ５０２によって固定されている。凸部３０１ａは、決定ボタン固定部材５０１が紙面上方向に移動することを規制している。したがって、決定ボタン固定部材５０１が固定されている決定ボタン１１５は紙面上方向には移動不能となる。一方、ねじ５０２は、フレキシブル基板５２１上にある弾性スイッチ５０３により、紙面上方向に付勢されている。なお、保持部材５１１は図示していないが、外装カバー３００に固定されている。さらに決定ボタン１１５、決定ボタン固定部材５０１、ねじ５０２、弾性スイッチ５０３は、プリント基板３０３の穴３０３ａ及び回転板３０４の穴３０４ａよりも小さい外径で構成されており、タッチ操作の検出とは無関係になっている。
【００４７】
図８（ａ）は決定ボタン１１５と保持部材５１１との関係を示す分解斜視図である。
【００４８】
５０１ａは決定ボタン固定部材５０１に形成された回転規制部、５０３ａは弾性スイッチに設けられた穴部、５１１ａは保持部材５１１に形成された爪部、５２１ａはフレキシブル基板に設けられた穴部である。爪部５１１ａは、何カ所形成してあっても良いが、本実施形態では２カ所形成した例を説明する。説明を容易にするために、図８（ａ）には、その他の部品は図示していない。穴部５２１ａは、爪部５１１ａが貫通し、穴部５０３ａも爪部５１１ａが貫通する。これにより、保持部材５１１とフレキシブル基板５２１と弾性スイッチ５０３が精度良く位置決めすることが可能である。
【００４９】
図８（ｂ）はデジタルカメラ本体１００の内部から外観に向かって見た決定ボタン１１５の構成図である。
【００５０】
１１５ａは決定ボタン１１５に設けられた凸部、５０１ｂは決定ボタン固定部材５０１に設けられた凹部である。凸部１１５ａと凹部５０１ｂを嵌合させて固定することにより、決定ボタン１１５と決定ボタン固定部材５０１は、回転方向に対して位置決めされ、固定される。
【００５１】
図８（ｃ）はデジタルカメラ本体１００の外観側から内部に向かって見た保持部材５１１と決定ボタン１１５との関係を示す図である。
【００５２】
５１１ｂは、保持部材５１１の第２の検出電極群４０１の検出電極Ｂ１〜Ｂ４と対向する部分に設けられた穴である。穴５１１ｂを設けることにより操作部３０１の回転検出精度を向上することが可能である。
【００５３】
紙面方向に突起した爪部５１１ａは、回転規制部５０１ａと嵌合することで、決定ボタン固定部材５０１が保持部材５１１に対して回転規制することができる。
【００５４】
したがって、決定ボタン１１５は、決定ボタン固定部材５０１を介して保持部材５１１によって、操作部３０１の回転操作に伴い、回転しない。決定ボタン１１５の表面に、例えば「ＳＥＴ」の文字が表示されていた場合、決定ボタン１１５が操作部３０１の回転に伴って回転することなく、文字が回転しないので、文字の視認性が良い。
【００５５】
また、決定ボタン１１５、決定ボタン固定部材５０１及び保持部材５１１を導電部材で構成する。そのため、決定ボタン１１５の表面付近に発生した静電気をデジタルカメラ本体１００内部の電子部品などに被雷させることなく、外装カバー３００に導電させることが可能となる。したがって、静電気によるデジタルカメラ本体１００のハングアップや静電気破壊を防止することができる。
【００５６】
次に、決定ボタン１１５の押し込み操作について説明する。図９（ａ）は決定ボタン１１５が押される前の状態を示す決定ボタン１１５の軸方向に沿う断面図、図９（ｂ）は決定ボタン１１５が押された時の決定ボタン１１５の軸方向に沿う断面図である。尚、説明を容易にする為、その他の部品は図示していない。
【００５７】
５０３ｂ、５０３ｃはそれぞれ弾性スイッチ５０３に設けられた導電部、スカート部である。
【００５８】
図９（ａ）に示すように、決定ボタン１１５と決定ボタン固定部材５０１とねじ５０２は、一つのユニットとなっている。また、保持部材５１１とフレキシブル基板５２１と弾性スイッチ５０３も、一つのユニットになっている。決定ボタン１１５は弾性スイッチ５０３により、紙面上方向に付勢されている。
【００５９】
この状態から操作者が押し込み方向に決定ボタン１１５を押した際の動作について説明する。このとき、スカート部５０３ｃが図９（ｂ）のように弾性変形を起こし、導電部５０３ｂがフレキシブル基板５２１に当接する。フレキシブル基板５２１上には、導電部５０３ｂが当接する位置に、検知パターン５２１ｂが構成されている。検知パターン５２１ｂが導電部５０３ｂと接触すると、システム制御回路２００は決定ボタン１１５が押し込み操作されたと判断する。
【００６０】
次に、操作者が押し込み方向に決定ボタン１１５の押し込みを停止すると、弾性変形していたスカート部５０３ｃが、図９（ａ）の状態に戻り、決定ボタン１１５が復帰する。
【００６１】
以上説明したように、本実施形態では、操作部３０１をタッチ操作して絞り値やシャッター速度、ＩＳＯ感度などの設定値を変更する。そのため、電子ダイヤル１１０がクリック機構を備える場合でも、音声を同時記録する動画撮影中にクリック音や摺動音を発生させることはない。したがって、音声を同時記録する動画撮影中にクリック音や摺動音が録音されるのを防止することができる。
【００６２】
また、本実施形態では、第１の検出電極群４００及び第２の検出電極群４０１は、共に静電容量式であり、各検出電極の静電容量の変化を検出回路２０６により検出するので、接片を使用した電子ダイヤルに比べて耐久性を向上させることができる。
【００６３】
なお、本発明の構成は、上記実施形態に例示したものに限定されるものではなく、材質、形状、寸法、形態、数、配置箇所等は、本発明の要旨を逸脱しない範囲において適宜変更可能である。
【００６４】
例えば、上記実施形態では、動画撮影中に操作部３０１をタッチ操作して絞り値やシャッター速度、ＩＳＯ感度などの設定値を変更する場合を例示したが、静止画撮影中に操作部３０１をタッチ操作して設定値を変更するようにしてもよい。
【００６５】
さらに、電子ダイヤル１１０が回転操作により、どの回転位置に停止していても、決定ボタン１１５は回転をしないので、決定ボタン１１５上の文字の視認性が良い。
【００６６】
以上、本発明の好ましい実施形態について説明したが、本発明はこれらの実施形態に限定されず、その要旨の範囲内で種々の変形及び変更が可能である。
【符号の説明】
【００６７】
１００  デジタルカメラ（電子機器）
２０６  検出回路（検出部）
３０１  操作部（操作部材）
３０３  プリント基板（基板）
３０４  回転板（回転部材）
４００  第１の検出電極群（第１の検出電極）
４０１  第２の検出電極群（第２の検出電極）
【図１】
0005882721.tif 000002
【図２】
0005882721.tif 000003
【図３】
0005882721.tif 000004
【図４】
0005882721.tif 000005
【図５】
0005882721.tif 000006
【図６】
0005882721.tif 000007
【図７】
0005882721.tif 000008
【図８】
0005882721.tif 000009
【図９】
0005882721.tif 000010